(57)【要約】【課題】ユーザインターフェイスが限定された状態においても利用者に不便を感じさせることなく無線接続を制御することを可能とした電子機器。【解決手段】ヘッドセット１は、パーソナルコンピュータ２からストリーム送信されるオーディオデータを再生する機能をもつ電子機器であり、パーソナルコンピュータ２との間の無線接続を確立する際、自機器がマスタとなるように無線接続処理を制御する。また、オーディオデータの再生中に、着信を受けた携帯電話機３との間の無線接続を確立する場合、パーソナルコンピュータ２に対してリモート制御信号を送信することにより、再生音の調整を自動的に実行する。【選択図】    図５
2004235838.tif 000002
【特許請求の範囲】
【請求項１】
第１のデバイスおよび第２のデバイスと無線通信可能な電子機器において、
コンテンツデータを再生する再生手段と、
前記再生手段に再生させるコンテンツデータを前記第１のデバイスから無線信号により受信するために前記第１のデバイスとの間の無線接続を確立する無線接続手段と
を具備し、
前記無線接続手段は、前記コンテンツデータの再生中に、前記第２のデバイスから無線接続の確立を要求された場合に、前記第１のデバイスとの間で確立された無線接続を維持しながら前記第２のデバイスとの間の無線接続も確立できるように、前記第１のデバイスとの間で定義される関係を制御する手段を有することを特徴とする電子機器。
【請求項２】
前記無線接続手段は、マスタとして機能する自機器に前記第１のデバイスがスレーブとして接続されるように、前記第１のデバイスとの間で定義される関係を制御することを特徴とする請求項１記載の電子機器。
【請求項３】
前記第１のデバイスとの間で定義される関係を前記無線接続手段に制御させるか否かを設定するモード設定手段をさらに具備することを特徴とする請求項１記載の電子機器。
【請求項４】
前記第２のデバイスは、外部ネットワークを介して通信相手先との音声通話を実行する手段を有し、前記通信相手先からの着信を前記外部ネットワークを介して受けた場合に、前記無線接続の確立を要求するものであることを特徴とする請求項１記載の電子機器。
【請求項５】
第１のデバイスおよび第２のデバイスと無線通信可能な電子機器において、
前記第１のデバイスとの間の無線接続が確立された状態で、前記第１のデバイスから無線信号により送信されるコンテンツデータを再生する再生手段と、
前記第２のデバイスとの間の無線接続が確立された状態で、入力された音声を符号化して音声データを生成し、その生成した音声データを無線信号により前記第２のデバイスに送信するとともに、前記第２のデバイスから無線信号により送信される音声データを再生する音声通話手段と、
前記第２のデバイスから無線接続の確立を要求された場合に、その旨を報知する報知手段と、
前記報知手段による報知に応答して、前記第２のデバイスとの間の無線接続の確立を指示するための指示手段と、
前記コンテンツデータの再生中に、前記指示手段による指示がなされて前記第２のデバイスとの間の無線接続が確立された場合、前記コンテンツデータの再生音を調整する音声調整手段と、
前記音声調整手段により前記コンテンツデータの再生音が調整された後、前記第２のデバイスとの間で確立された無線接続が切断された場合、前記コンテンツデータの再生音を復帰させる音声復帰手段と
を具備することを特徴とする電子機器。
【請求項６】
前記第２のデバイスは、外部ネットワークを介して通信相手先との音声通話を実行する手段を有し、前記通信相手先からの着信を前記外部ネットワークを介して受けた場合に、前記無線接続の確立を要求するものであることを特徴とする請求項５記載の電子機器。
【請求項７】
前記音声調整手段は、前記コンテンツデータの再生音をミュートし、前記音声復帰手段は、前記ミュートを解除することを特徴とする請求項５記載の電子機器。
【請求項８】
前記音声調整手段は、前記コンテンツデータの送信停止を前記第１のデバイスに要求し、前記音声復帰手段は、前記コンテンツデータの送信を前記第１のデバイスに要求することを特徴とする請求項５記載の電子機器。
【請求項９】
前記音声調整手段は、前記コンテンツデータの送信一時停止を前記第１のデバイスに要求し、前記音声復帰手段は、前記コンテンツデータの送信再開を前記第１のデバイスに要求することを特徴とする請求項５記載の電子機器。
【請求項１０】
前記音声調整手段は、前記第２のデバイスから無線接続の確立を要求された旨を報知するために前記報知手段より出力される音声が前記コンテンツデータの再生音よりも大きくなるように音声調整を行う手段をさらに有することを特徴とする請求項５記載の電子機器。
【請求項１１】
第１のデバイスおよび第２のデバイスと無線通信可能な電子機器であって、コンテンツデータを再生する再生手段と、前記再生手段に再生させるコンテンツデータを前記第１のデバイスから無線信号により受信するために前記第１のデバイスとの間の無線接続を確立する無線接続手段とを具備する電子機器の接続制御方法において、
前記コンテンツデータの再生中に、前記第２のデバイスから無線接続の確立を要求された場合に、前記第１のデバイスとの間で確立された無線接続を維持しながら前記第２のデバイスとの間の無線接続も確立できるように、前記第１のデバイスとの間で定義される関係を制御することを特徴とする電子機器の接続制御方法。
【請求項１２】
第１のデバイスおよび第２のデバイスと無線通信可能な電子機器であって、前記第１のデバイスとの間の無線接続が確立された状態で、前記第１のデバイスから無線信号により送信されるコンテンツデータを再生する再生手段と、前記第２のデバイスとの間の無線接続が確立された状態で、入力された音声を符号化して音声データを生成し、その生成した音声データを無線信号により前記第２のデバイスに送信するとともに、前記第２のデバイスから無線信号により送信される音声データを再生する音声通話手段と、前記第２のデバイスから無線接続の確立を要求された場合に、その旨を報知する報知手段と、前記報知手段による報知に応答して、前記第２のデバイスとの間の無線接続の確立を指示するための指示手段とを具備する電子機器の音声調整方法において、
前記コンテンツデータの再生中に、前記指示手段による指示がなされて前記第２のデバイスとの間の無線接続が確立された場合、前記コンテンツデータの再生音を調整するステップと、
前記コンテンツデータの再生音が調整された後、前記第２のデバイスとの間で確立された無線接続が切断された場合、前記コンテンツデータの再生音を復帰させるステップと
を具備することを特徴とする電子機器の音声調整方法。
【発明の詳細な説明】
【０００１】
【発明の属する技術分野】
この発明は、無線通信可能な電子機器、同機器の接続制御方法および音声調整方法に関する。
【０００２】
【従来の技術】
近年、無線通信技術としてＢｌｕｅｔｏｏｔｈ（Ｒ）が注目されている。このＢｌｕｅｔｏｏｔｈ（Ｒ）は、低価格、低消費電力で、モバイル機器に適した近距離の無線通信技術である。用途としては、ユーザ各個人個人が所有する様々なモバイル情報機器を相互に接続するために使われる。機器間は無線接続されるので、従来の有線による接続に比較して、自由、簡単、手軽に様々な機器同士を接続することができる。
【０００３】
そして、この無線通信を利用したモバイル情報機器の１つとして、携帯型音楽プレーヤとヘッドフォンとを無線接続するものが知られている（例えば、特許文献１参照）。
【０００４】
従来の有線を使った接続形態では、例えば音楽を聴くためにはヘッドフォンまたは（音声通話のためのマイクが付いた）ヘッドセットをケーブルを介して携帯型音楽プレーヤに接続しなければならず、また、音声通話をするためにはヘッドセットをケーブルを介して携帯電話機に接続しなければならない。さらに、音声信号処理をするためにはヘッドセットをケーブルを介してノートブック型パーソナルコンピュータに接続することが必要とされた。
【０００５】
これに対して、無線接続を利用すれば、ケーブルを繋ぎ直すことなく、ヘッドフォンまたはヘッドセットをすぐに必要な機器に接続することが可能となる。
【０００６】
Ｂｌｕｅｔｏｏｔｈ（Ｒ）に関する技術仕様は標準化されている。したがって、各通信機器がＢｌｕｅｔｏｏｔｈ（Ｒ）標準に則った通信を行うことにより、異なるメーカー同士の機器でも相互に接続することができる。
【０００７】
Ｂｌｕｅｔｏｏｔｈ（Ｒ）の標準規格は、応用ごとにプロファイルと呼ばれる複数のパートに分けられている。ヘッドセットに関連するプロファイルとしては、Ｈｅａｄ  Ｓｅｔ  Ｐｒｏｆｉｌｅ（ＨＳＰ）、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）およびＡｕｄｉｏ  Ｖｉｄｅｏ  Ｒｅｍｏｔｅ  Ｃｏｎｔｒｏｌ  Ｐｒｏｆｉｌｅ（ＡＶＲＣＰ）がある。
【０００８】
ＨＳＰは、ヘッドセットと電話機とを接続して音声通話を行うための機能である。また、Ａ２ＤＰは、ヘッドセットを携帯音楽プレーヤなどと接続して音楽等のオーディオデータのストリーミング再生を行うための機能である。そして、ＡＶＲＣＰは、携帯音楽プレーヤなどをリモート制御するための機能である。
【０００９】
【特許文献１】
特開２００２−１１２３８３号公報
【００１０】
【発明が解決しようとする課題】
ところで、ヘッドフォンまたはヘッドセットは、一般に、それに装備可能なユーザインターフェイスが限定されている。例えばディスプレイを搭載することは困難であり、また、ボタンやスイッチの類も搭載できる数に限りがある。このため、ヘッドフォンまたはヘッドセット自体をユーザが操作することによって、それに無線接続すべき機器の選択および接続先の機器の切り替えを行うことは実際上困難である。
【００１１】
例えば、前述のＡ２ＤＰ，ＨＳＰを搭載したヘッドセットについて、Ａ２ＤＰによる音楽再生中に携帯電話機に着信があり、ＨＳＰによる音声通話を開始する必要が発生した場合を考える。このような場合、接続先をすばやく切り替えることが必要であるが、前述のようにユーザインターフェイスが限定されている現状においては、その着信を利用者にどのように報知し、どのようにＡ２ＤＰからＨＳＰへ切り替えるかに問題があった。
【００１２】
また、Ｂｌｕｅｔｏｏｔｈ（Ｒ）の無線通信は、マスタ・スレーブ形式の通信方式によって実行される。この方式では、機器の中のある一台がマスタの役割をとり、スレーブ機器との通信を制御する。この１つのマスタ機器に対しては、同時に最大で７台までのスレーブが接続できる。そして、直接接続することが出来るのはマスタと各スレーブの間だけであり、スレーブとスレーブとの間は直接には接続できない。
【００１３】
一般には、パーソナルコンピュータのような多機能な機器がマスタとなり、周辺機器としてのヘッドセットや、携帯電話、ヒューマンインターフェイスデバイス（マウス、キーボードなど）はそれにスレーブとして接続される。つまり、ヘッドセットと携帯電話機は互いにスレーブ同士である。このため、マスタ・スレーブ形式の通信方式では、ヘッドセットがコンピュータに接続されている状態においては、音声通話を行う必要が生じても、ヘッドセットと携帯電話機とを直接的に接続することは困難であった。
【００１４】
この発明は、このような事情を考慮してなされたものであり、ユーザインターフェイスが限定された状態においても利用者に不便を感じさせることなく無線接続を制御することを可能とした電子機器、同機器の接続制御方法および音声調整方法を提供することを目的とする。
【００１５】
【課題を解決するための手段】
前述の目的を達成するために、この発明は、第１のデバイスおよび第２のデバイスと無線通信可能な電子機器において、コンテンツデータを再生する再生手段と、前記再生手段に再生させるコンテンツデータを前記第１のデバイスから無線信号により受信するために前記第１のデバイスとの間の無線接続を確立する無線接続手段とを具備し、前記無線接続手段は、前記コンテンツデータの再生中に、前記第２のデバイスから無線接続の確立を要求された場合に、前記第１のデバイスとの間で確立された無線接続を維持しながら前記第２のデバイスとの間の無線接続も確立できるように、前記第１のデバイスとの間で定義される関係を制御する手段を有することを特徴とする。
【００１６】
また、この発明は、第１のデバイスおよび第２のデバイスと無線通信可能な電子機器において、前記第１のデバイスとの間の無線接続が確立された状態で、前記第１のデバイスから無線信号により送信されるコンテンツデータを再生する再生手段と、前記第２のデバイスとの間の無線接続が確立された状態で、入力された音声を符号化して音声データを生成し、その生成した音声データを無線信号により前記第２のデバイスに送信するとともに、前記第２のデバイスから無線信号により送信される音声データを再生する音声通話手段と、前記第２のデバイスから無線接続の確立を要求された場合に、その旨を報知する報知手段と、前記報知手段による報知に応答して、前記第２のデバイスとの間の無線接続の確立を指示するための指示手段と、前記コンテンツデータの再生中に、前記指示手段による指示がなされて前記第２のデバイスとの間の無線接続が確立された場合、前記コンテンツデータの再生音を調整する音声調整手段と、前記音声調整手段により前記コンテンツデータの再生音が調整された後、前記第２のデバイスとの間で確立された無線接続が切断された場合、前記コンテンツデータの再生音を復帰させる音声復帰手段とを具備することを特徴とする。
【００１７】
また、この発明は、第１のデバイスおよび第２のデバイスと無線通信可能な電子機器であって、コンテンツデータを再生する再生手段と、前記再生手段に再生させるコンテンツデータを前記第１のデバイスから無線信号により受信するために前記第１のデバイスとの間の無線接続を確立する無線接続手段とを具備する電子機器の接続制御方法において、前記コンテンツデータの再生中に、前記第２のデバイスから無線接続の確立を要求された場合に、前記第１のデバイスとの間で確立された無線接続を維持しながら前記第２のデバイスとの間の無線接続も確立できるように、前記第１のデバイスとの間で定義される関係を制御することを特徴とする。
【００１８】
また、この発明は、第１のデバイスおよび第２のデバイスと無線通信可能な電子機器であって、前記第１のデバイスとの間の無線接続が確立された状態で、前記第１のデバイスから無線信号により送信されるコンテンツデータを再生する再生手段と、前記第２のデバイスとの間の無線接続が確立された状態で、入力された音声を符号化して音声データを生成し、その生成した音声データを無線信号により前記第２のデバイスに送信するとともに、前記第２のデバイスから無線信号により送信される音声データを再生する音声通話手段と、前記第２のデバイスから無線接続の確立を要求された場合に、その旨を報知する報知手段と、前記報知手段による報知に応答して、前記第２のデバイスとの間の無線接続の確立を指示するための指示手段とを具備する電子機器の音声調整方法において、前記コンテンツデータの再生中に、前記指示手段による指示がなされて前記第２のデバイスとの間の無線接続が確立された場合、前記コンテンツデータの再生音を調整するステップと、前記コンテンツデータの再生音が調整された後、前記第２のデバイスとの間で確立された無線接続が切断された場合、前記コンテンツデータの再生音を復帰させるステップとを具備することを特徴とする。
【００１９】
この発明においては、電子機器の接続形態が、第１のデバイスと第２のデバイスとの両方と無線接続が可能な形態に制御されるため、コンテンツデータを再生するために第１のデバイスにのみ無線接続されている状態から、さらに第２のデバイスとの通信のためにその第２のデバイスとも無線接続される状態へと移行することが可能となる。その結果、例えば音楽の鑑賞中に速やかに音声通話に移ることができるとともに、その音声通話の終了後、即座に音楽の鑑賞を再開することができるため、利用者に不便さを感じさせることがない。
【００２０】
また、コンテンツデータを再生するために第１のデバイスに無線接続されている状態から、さらに第２のデバイスとの通信のためにその第２のデバイスとも無線接続される状態へと移行する場合に、コンテンツデータの再生音を自動的に調整することにより、音量を絞る等の利用者の手間を省くことを実現する。
【００２１】
【発明の実施の形態】
以下、図面を参照してこの発明の一実施形態を説明する。
【００２２】
図１には、この発明の実施形態に係る電子機器とそれを用いた無線通信システムが示されている。この電子機器（ヘッドセット）１は、無線通信機能付きのヘッドセット（スピーカおよびマイクロフォン）として実現されている。
【００２３】
このヘッドセット１は、例えばＢｌｕｅｔｏｏｔｈ（Ｒ）規格に準拠した無線通信を実行する。ヘッドセット１は、Ｂｌｕｅｔｏｏｔｈ（Ｒ）規格に準拠した無線通信機能を持つ様々な他の機器との間で通信することができる。Ｂｌｕｅｔｏｏｔｈ（Ｒ）規格においては、マスタとそれに無線接続された各スレーブとの間で無線通信を実行するというマスタ・スレーブ形式の無線通信方式が用いられる。
【００２４】
ここでは、ヘッドセット１がパーソナルコンピュータ２および携帯電話機（移動電話機）３それぞれとの無線通信を行う場合を想定する。ヘッドセット１、パーソナルコンピュータ２および携帯電話機３は、無線ネットワークであるパーソナルエリアネットワーク（ＰＡＮ）１１を形成している。
【００２５】
ヘッドセット１は、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）のＳｉｎｋ機能、Ｈｅａｄ  Ｓｅｔ  Ｐｒｏｆｉｌｅ（ＨＳＰ）のＨＳ機能およびＡｕｄｉｏ  Ｖｉｄｅｏ  ＲｅｍｏｔｅＣｏｎｔｒｏｌ  Ｐｒｏｆｉｌｅ（ＡＶＲＣＰ）のＣＴ機能を有している。
【００２６】
Ａ２ＤＰのＳｉｎｋ機能は、音楽等のオーディオデータのストリーミング再生における転送先デバイスとしての機能であり、無線信号によって送られてくるオーディオデータのストリームを受信しながら再生するために用いられる。
【００２７】
ＨＳＰのＨＳ機能は、携帯電話機３と共同して音声通話を行うための機能であり、音声通話のための音声信号の送受信を携帯電話機３との間で実行するために用いられる。
【００２８】
ＡＶＲＣＰのＣＴ機能は、リモート制御における制御側デバイスとしての機能であり、無線信号によって被制御側デバイスに対してリモート制御信号を送信するために用いられる。
【００２９】
パーソナルコンピュータ２は、例えばノートブックタイプのポータブルコンピュータから構成されている。このパーソナルコンピュータ２は、Ａ２ＤＰのＳｏｕｒｃｅ機能およびＡＶＲＣＰのＴＧ機能を有する。
【００３０】
Ａ２ＤＰのＳｏｕｒｃｅ機能は、ストリーミング再生における転送元デバイスの機能であり、オーディオデータのストリームを無線信号によって送信するために用いられる。パーソナルコンピュータ２には、音楽プレーヤがアプリケーションプログラムとしてインストールされている。この音楽プレーヤは、ヘッドセット１との間に確立されたＡ２ＤＰのための無線接続（リンク）を通じで音楽データのストリーミング送信を実行する。
【００３１】
ＡＶＲＣＰのＴＧ機能は、リモート制御における被制御側デバイスとしての機能であり、無線信号によって制御側デバイスから送られてくるリモート制御信号に基づいて、例えばストリーミング再生の開始および停止、あるいは一時停止および再開などを実行する。
【００３２】
また、携帯電話機３は、外部ネットワークである公衆電話網（携帯電話網を含む）１２を介して接続された相手先の電話機６との間で音声通話を行うデバイスであり、この携帯電話機３には、ヘッドセット１との間で音声通話のための音声信号の送受信を行うために、ＨＳＰのＡＧ機能が設けられている。ＨＳＰのＡＧ機能は、携帯電話機３を介してヘッドセット１と相手先の電話機６との間で音声通話を行うための機能である。なお、電話機６は、ユーザ５によって使用されるものとする。
【００３３】
次に、図２乃至図４を参照して、ヘッドセット１、パーソナルコンピュータ２および携帯電話機３それぞれの構成を説明する。
【００３４】
図２は、ヘッドセット１の構成を示している。ヘッドセット１はユーザ４の頭部に装着して使用されるものであり、図示のように、システム制御部１１１、メモリ１１２、無線通信デバイス１１３、音声入力部１１４、ミキサ１１５、オーディオ・音声出力部１１６、マイクロフォン１１７、スピーカ１１８および操作ボタン１１９を備えている。
【００３５】
システム制御部１１１はヘッドセット１の動作を制御するために設けられたプロセッサであり、メモリ１１２に格納されたプログラムを実行することにより、無線通信デバイス１１３、音声入力部１１４、ミキサ１１５およびオーディオ・音声出力部１１６をそれぞれ制御する。
【００３６】
メモリ１１２は例えば不揮発性のメモリデバイスから構成されており、ここには、ヘッドセット１の動作を制御するためのプログラムが格納されている。このプログラムには、Ａ２ＤＰのＳｉｎｋ機能をシステム制御部１１１に実行させるためのルーチン、ＨＳＰのＨＳ機能をシステム制御部１１１に実行させるためのルーチン、ＡＶＲＣＰのＣＴ機能をシステム制御部１１１に実行させるためのルーチンなどが含まれている。
【００３７】
無線通信デバイス１１３は、パーソナルコンピュータ２または携帯電話機３との間の無線通信をＢｌｕｅｔｏｏｔｈ（Ｒ）の規格に準拠した手順で実行するデバイスであり、ベースバンド処理部およびＲＦ部を備えている。この無線通信デバイス１１３は、パーソナルコンピュータ２から無線信号によって送信される音楽等のオーディオデータを受信したり、リモート制御信号を無線信号によってパーソナルコンピュータ２に送信したり、無線信号によって携帯電話機３との間における音声信号の送受信を行うために用いられる。
【００３８】
音声入力部１１４は、マイクロフォン１１７を介して入力されるユーザ４の音声をアナログ信号からディジタル信号に変換して、システム制御部１１１に送信する。また、ミキサ１１５は、パーソナルコンピュータ２から送信される音楽等のオーディオデータと携帯電話機３から送信される音声信号とをミキシングする回路である。
【００３９】
オーディオ・音声出力部１１６は、パーソナルコンピュータ２から送信される音楽等のオーディオデータのストリームを無線通信デバイス１１３、システム制御部１１１およびミキサ１１５を介して受信しながら、それをスピーカ１１８から音として出力可能な電気信号に変換するという、いわゆるストリーム再生のためのデータ再生処理を実行する。
【００４０】
また、オーディオ・音声出力部１１６は、携帯電話機３から送信される音声信号をスピーカ１１８から音として出力したり、ミキサ１１５によって得られるオーディオデータと音声信号との混合信号をスピーカ１１８から音として出力する処理も実行する。
【００４１】
オーディオデータまたは音声信号は、オーディオ・音声出力部１１６によってデジタル信号からアナログ信号に変換され、スピーカ１１８に送られる。
【００４２】
図３には、パーソナルコンピュータ２の構成が示されている。ここでは、ヘッドセット１との通信に関係する構成についてのみ説明する。
【００４３】
パーソナルコンピュータ２は、図示のように、システム制御部２１１、メモリ２１２、無線通信デバイス２１３、オーディオデータ再生部２１４、記憶装置２１５およびユーザインタフェース２１６を備えている。
【００４４】
システム制御部２１１はパーソナルコンピュータ２の動作を制御するために設けられたプロセッサであり、メモリ２１２に格納されたプログラムを実行することにより、無線通信デバイス２１３、オーディオデータ再生部２１４等をそれぞれ制御する。
【００４５】
メモリ２１２には、パーソナルコンピュータ２の動作を制御するためのプログラムが格納されている。このプログラムには、Ａ２ＤＰのＳｏｕｒｃｅ機能をシステム制御部２１１に実行させるためのルーチンやＡＶＲＣＰのＴＧ機能をシステム制御部２１１に実行させるためのルーチンなどが含まれている。
【００４６】
無線通信デバイス２１３は、ヘッドセット１との間の無線通信をＢｌｕｅｔｏｏｔｈ（Ｒ）の規格に準拠した手順で実行するデバイスであり、ベースバンド処理部およびＲＦ部を備えている。この無線通信デバイス２１３は、音楽等のオーディオデータを無線信号によってヘッドセット１に送信したり、ヘッドセット１から無線信号によって送信されるリモート制御信号を受信するために用いられる。
【００４７】
オーディオデータ再生部２１４は、ヘッドセット１にストリーム再生させるべき音楽等のオーディオデータのストリームを記憶装置２１４から読み出し、それをシステム制御部２１１に送信する。
【００４８】
ユーザインタフェース２１６は、例えばディスプレイモニタ、キーボード、ポインティングデバイス等から構成されており、ユーザ４に例えば再生すべきオーディオデータを選択させたり、オーディオデータの再生開始・停止等を指示させるために用いられる。
【００４９】
図４には、携帯電話機３の構成が示されている。
【００５０】
携帯電話機３は、図示のように、システム制御部３１１、メモリ３１２、無線通信デバイス３１３、ＲＦ部３１４、ベースバンド処理部３１５およびユーザインタフェース３１６を備えている。
【００５１】
システム制御部３１１は携帯電話機３の動作を制御するために設けられたプロセッサであり、メモリ３１２に格納されたプログラムを実行することにより、無線通信デバイス３１３、ＲＦ部３１４およびベースバンド処理部３１５等をそれぞれ制御する。
【００５２】
メモリ３１２は例えば不揮発性のメモリデバイスから構成されている。このメモリ３１２には、携帯電話機３の動作を制御するためのプログラムが格納されている。このプログラムには、ＨＳＰのＡＧ機能をシステム制御部３１１に実行させるためのルーチンなどが含まれている。また、メモリ３１２は、携帯電話機３の着信履歴を記憶するための着信履歴メモリとしても利用される。
【００５３】
無線通信デバイス３１３は、ヘッドセット１との間の無線通信をＢｌｕｅｔｏｏｔｈ（Ｒ）の規格に準拠した手順で実行するデバイスであり、ベースバンド処理部およびＲＦ部を備えている。そして、この無線通信デバイス３１３は、無線信号によってヘッドセット１との間で音声通話のための音声信号の送受信を行うために用いられる。
【００５４】
ＲＦ部３１４およびベースバンド処理部３１５は、相手先の電話機６との間の音声通話を実行するための無線通信デバイスであり、基地局との間で無線信号の送受信を行う。ユーザインタフェース３１６は例えばディスプレイや各種操作ボタン群から構成されている。
【００５５】
次に、図５を参照して、コンテンツデータの再生中に速やかに音声通話に移行することを可能とするためにヘッドセット１が実行する接続制御および音声調整について説明する。
【００５６】
コンテンツデータの再生中に速やかに音声通話に移行することを可能とするために、ヘッドセット１は、パーソナルコンピュータ２との間の無線接続を確立する場合に、自機器がマスタとして機能し、パーソナルコンピュータ２がマスタとして機能する自機器にスレーブとして無線接続されるように接続処理を実行するモードを設定する仕組みをもつ。この設定および解除は、操作ボタン１１９の操作により行われてメモリ１１２に記録される。
【００５７】
この設定が行われている場合、ヘッドセット１のシステム制御部１１１は、可能であれば自機器がマスタとして機能すべき旨を付け加えて、パーソナルコンピュータ２との間の無線接続の確立を無線通信デバイス１１３に指示する。これにより、もし、パーソナルコンピュータ２がマスタとして機能するヘッドセット１にスレーブとして無線接続可能な状態であれば、図５に示すように、ヘッドセット１はマスタとして機能し、パーソナルコンピュータ２は、マスタとして機能するヘッドセット１にスレーブとして無線接続されることになる。そして、この接続形態のまま、ヘッドセット１は、Ａ２ＤＰコネクションを通じて、パーソナルコンピュータ２から送信されるオーディオデータを再生する。以下、このヘッドセット１が、オーディオデータの再生中にどのように音声通話に移行するのかを順を追って説明する。
【００５８】
（１）（２）：  電話機６からの着信を受けると、携帯電話機３は、ヘッドセット１との間の無線接続（リンク）の確立を試みる。この時、ヘッドセット１はマスタとして機能しているため、携帯電話機３は、このヘッドセット１にスレーブとして無線接続することができる。つまり、従来では困難であった両者間の直接的な無線接続が可能となる。そして、この無線接続が確立されると、携帯電話機３は、ＨＳＰコネクションを通じて、着信を受けたことを示す着信通知をヘッドセット１に送信する。
【００５９】
（３）：  携帯電話機６からの着信通知を受けると、ヘッドセット１は、着信を受けた旨を利用者に知らせるための例えば呼び出し音をスピーカ１１８から出力する。そして、この呼び出し音に応答して、利用者がその着信を受ける、つまり音声通話を開始する指示を操作ボタン１１９で行うと、ヘッドセット１は、ＡＶＲＣＰコネクションを通じて、再生音調整のためのリモート制御信号をパーソナルコンピュータ２に送信する。
【００６０】
ここでいう再生音調整とは、例えばオーディオデータのストリームの送信を停止させる、あるいは一時停止させる等である。これにより、音声通話のために音楽の音量を絞るといった操作を利用者自らが行うことを不要にでき、また、パーソナルコンピュータ２との間で確立された無線接続は維持されるので、音声通話終了後の速やかな復帰が可能となる。さらに、このオーディオデータのストリーミングの送信を停止、あるいは一時停止させることにより、その分の無線通信の帯域を音声通話に割り当てることができ、良質な音声通話が可能となる。
【００６１】
また、ヘッドセット１は、この再生音調整の一環として、前述したスピーカ１１８からの呼び出し音の出力時、その呼び出し音がオーディオデータの再生音よりも大きくなるようにミキサ１１５を駆動制御する。この再生音調整は、呼び出し音を大きくしても良いし、オーディオデータの再生音を小さくして良いし、あるいはその組み合わせであっても良い。そして、この再生音調整の終了後、ヘッドセット１は、ＨＳＰコネクションを通じて携帯電話機３を介した音声通話を開始する。
【００６２】
（４）（５）：  音声通話を終了する指示が操作ボタン１１９で行われると、ヘッドセット１は、携帯電話機３との間で確立された無線接続を切断する。そして、その直後に、ヘッドセット１は、ＡＶＲＣＰコネクションを通じて、再生音復帰のためのリモート制御信号をパーソナルコンピュータ２に送信する。
【００６３】
ここでいう再生音復帰とは、例えばオーディオデータのストリームの送信を再生音調整時に停止させていた場合には、その開始であり、また、再生音調整時に一時停止させていた場合には、その再開である。開始の場合は、当該オーディオデータの先頭からストリームの送信が行われ、一方、再開の場合は、中断された箇所からストリームの送信が行われることになる。いずれにせよ、無線通信の確立のための接続処理は実行する必要がないため、音声通話からオーディオデータの再生への速やかな復帰が実現される。
【００６４】
図６は、このヘッドセット１が実行する接続制御および音声調整の流れを示すフローチャートである。
【００６５】
ヘッドセット１は、まず、自機器がマスタとして機能し、パーソナルコンピュータ２がマスタとして機能する自機器にスレーブとして無線接続されるように接続処理を実行する（ステップＳ１）。そして、この接続形態のまま、Ａ２ＤＰコネクションを通じて、パーソナルコンピュータ２から送信されるオーディオデータを再生する。その後、携帯電話機３が電話機６からの着信を受けると、携帯電話機３は、ヘッドセット１との間の無線接続を確立し、ＨＳＰコネクションを起動して着信通知を送信する（ステップＳ２）。
【００６６】
この着信通知を受けると、ヘッドセット１は、音楽再生音との調整を取りながら携帯電話機３からの着信を利用者に通知するための呼び出し音を出力する（ステップＳ３）。そして、音声通話を開始する指示が行われると（ステップＳ４のＹＥＳ）、ヘッドセット１は、ＡＶＲＣＰコネクションを通じて、例えばストリーム送信の停止などの再生音調整のためのリモート制御信号をパーソナルコンピュータ２に送信する（ステップＳ５）。
【００６７】
この再生音調整の後、ヘッドセット１は、ＨＳＰコネクションを通じて、携帯電話機３を介した音声通話を実行し（ステップＳ６）、音声通話を終了する指示が行われたら（ステップＳ７のＹＥＳ）、ＨＳＰコネクションを切断し、携帯電話機３との間に確立された無線接続を切断する（ステップＳ８）。
【００６８】
そして、この音声通話の終了後、ヘッドセット１は、速やかに、ＡＶＲＣＰコネクションを通じて、例えばストリーム送信の開始などの再生音復帰のためのリモート制御信号をパーソナルコンピュータ２に送信する（ステップＳ９）。
【００６９】
以上のように、本実施形態によれば、ヘッドセット１が、パーソナルコンピュータ２との間の無線接続を確立する場合に、自機器がマスタとして機能し、パーソナルコンピュータ２がマスタとして機能する自機器にスレーブとして無線接続されるように接続処理を実行することにより、着信を受けた携帯電話機３との直接的な接続が行えるようになる。
【００７０】
また、その際、音楽再生音の調整が自動的に行われるので、利用者は、音楽再生音の音量を絞るなどの操作を行う必要がない。
【００７１】
さらに、Ｂｌｕｅｔｏｏｔｈ（Ｒ）においては、無線接続の確立にはそのプロトコル仕様上の規定で最大で１０秒の時間がかかる場合があるが、音声通話中もパーソナルコンピュータ２との間で確立された無線接続は維持されるので、音声通話終了後の音楽再生への復帰も速やかに行えるようになる。
【００７２】
なお、前述の実施形態では、ヘッドセット１が、ＡＶＲＣＰコネクションを通じて、リモート制御信号をパーソナルコンピュータ２に送信することにより、音楽再生音の調整および復帰を行う例を説明したが、例えばミキサ１１５を駆動制御することによる音楽再生音のミュートおよびその解除により、音楽再生音の調整および復帰を行っても良い。
【００７３】
また、前述の実施形態では、着信時に、ヘッドセット１と携帯電話機３との間の無線接続を確立する例を説明したが、無線接続の確立は事前に行っておき、ＨＳＰコネクションの起動を着信時に行うようにしても良い。
【００７４】
つまり、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００７５】
【発明の効果】
以上のように、この発明によれば、ユーザインターフェイスが限定された状態においても利用者に不便を感じさせることなく無線接続を制御することを可能とした電子機器、同機器の接続制御方法および音声調整方法を提供できる。
【図面の簡単な説明】
【図１】本発明の一実施形態に係る電子機器を用いた無線通信システムを示すブロック図。
【図２】図１の無線通信システムで用いられるヘッドセットの構成を示すブロック図。
【図３】図１の無線通信システムで用いられるパーソナルコンピュータの構成を示すブロック図。
【図４】図１の無線通信システムで用いられる携帯電話機の構成を示すブロック図。
【図５】同実施形態のヘッドセットがコンテンツデータの再生中に速やかに音声通話に移行することを可能とするために実行する接続制御および音声調整について説明するための図。
【図６】同実施形態のヘッドセットが実行する接続制御および音声調整の流れを示すフローチャート。
【符号の説明】
１…ヘッドセット、２…パーソナルコンピュータ、３…携帯電話機、４，５…ユーザ、６…電話機、１１…パーソナルエリアネットワーク、１２…公衆電話網、１１１…システム制御部、１１２…メモリ、１１３…無線通信デバイス、１１４…音声入力部、１１５…ミキサ、１１６…オーディオ・音声出力部、１１７…マイクロフォン、１１８…スピーカ、１１９…操作ボタン、２１１…システム制御部、２１２…メモリ、２１３…無線通信デバイス、２１４…オーディオデータ再生部、２１５…記憶装置、２１６…ユーザインタフェース、３１１…システム制御部、３１２…メモリ、３１３…無線通信デバイス、３１４…ＲＦ部、３１５…ベースバンド部、３１６…ユーザインタフェース部。
【図１】
2004235838.tif 000003
【図２】
2004235838.tif 000004
【図３】
2004235838.tif 000005
【図４】
2004235838.tif 000006
【図５】
2004235838.tif 000007
【図６】
2004235838.tif 000008